(57)【特許請求の範囲】
【請求項１】
前面パネルと後板との間に熱交換器、送風ファン等を収納した空気調和機の室内ユニットに於いて、前記後板を左右に２分割し、該分割された一方の後板に送風モータ取付部を一体に備えると共に、分割された他方の後板に電装品収納箱を一体に形成し、前記他方の後板を一方の後板に取付けるとき、電装品収納箱に設けた凹部にて送風モータを押圧し、前記送風モータ取付部と凹部の間に送風モータを固定する事を特徴とする空気調和機の室内ユニット。
【請求項２】
前面パネルと後板との間に熱交換器、送風ファン等を収納した空気調和機の室内ユニットに於いて、前記前面パネルの上部前面に前吸込口を、該前吸込口の下方に吹出口を備え、前記熱交換器は後板に対向して位置する後部熱交換器と、前吸込口に対向して位置する前部熱交換器を逆Ｖ字型に配置し、前記後板を左右に２分割し、該分割した一方の後板に前記後部熱交換器で発生した結露水を受ける後部露受け部と室内ユニットの側壁の一部を一体に形成し、前記分割された他方の後板には電装品収納箱と室内ユニットの側壁の一部を一体に形成し、前記他方の後板を一方の後板に取付けるとき、電装品収納箱に設けた凹部にて送風モータを押圧し、前記送風モータ取付部と凹部の間に送風モータを固定する事を特徴とする空気調和機の室内ユニット。
【発明の詳細な説明】
【０００１】
【発明が属する技術分野】
この発明は空気調和機の室内ユニットに係り、特に組み立て作業の簡素化と金型費用の低減に関するものである。
【０００２】
【従来の技術】
空気調和機の室内ユニットは図５に示すように前面パネル１０１と後板１０２との間に熱交換器１０３と送風ファン１０４、送風モータ１０５、ドレンパン１０６、電装品収納箱１０７等を収容して構成されている。そして後板１０２が前面パネル１０１を覆う大きさに一体成型され、この後板１０２に順次送風ファン１０４、送風モータ１０５、熱交換器１０３、ドレンパン１０６や電装品収納箱１０７等を組み込んで前面パネル１０１にて前面を覆って組み立てられていた。
【０００３】
【発明が解決しようとする課題】
しかしながら、組立作業時熱交換器１０３の配管１０８を後板１０２の後ろ側に導くために後板１０２に設けた穴１０９に配管１０８を通す作業が複雑な動作を必要とするものだった。
また後板１０２の成型金型はとても大きな金型のために、金型作成費用がかかりコストダウンの必要が有った。
また室内ユニットのコンパクト化のために、電装品も効率よく収納する事が求められていた。
【０００４】
【問題点を解決するための手段】
この発明はこの点に着目し上記欠点を解決する為、特にその構成を、前面パネルと後板との間に熱交換器、送風ファン等を収納した空気調和機の室内ユニットに於いて、前記後板を左右に２分割し、該分割された一方の後板に送風モータ取付部を一体に備えると共に、分割された他方の後板に電装品収納箱を一体に形成し、前記他方の後板を一方の後板に取付けるとき、電装品収納箱に設けた凹部にて送風モータを押圧し、前記送風モータ取付部と凹部の間に送風モータを固定するようにしたものである。
【０００５】
また前面パネルと後板との間に熱交換器、送風ファン等を収納した空気調和機の室内ユニットに於いて、前記前面パネルの上部前面に前吸込口を、該前吸込口の下方に吹出口を備え、前記熱交換器は後板に対向して位置する後部熱交換器と、前吸込口に対向して位置する前部熱交換器を逆Ｖ字型に配置し、前記後板を左右に２分割し、該分割した一方の後板に前記後部熱交換器で発生した結露水を受ける後部露受け部と室内ユニットの側壁の一部を一体に形成し、前記分割された他方の後板には電装品収納箱と室内ユニットの側壁の一部を一体に形成し、前記他方の後板を一方の後板に取付けるとき、電装品収納箱に設けた凹部にて送風モータを押圧し、前記送風モータ取付部と凹部の間に送風モータを固定するようにしたものである。
【０００６】
【発明の実施の形態】
後板２を左右に分割することで熱交換器４と熱交配管９の組み立てを簡単にし、組立コストを削減し、左右の後板２ａ・２ｂはそれぞれの大きさが小さくなり、金型作成費用を少なくすることができる。
また電装品収納箱１０を右後板２ｂと一体成型することで部品点数を少なくすると共に、ブラスチックの原材料も少なくするものである。
【０００７】
【実施例】
以下この発明の一実施例を図面をもとに説明すれば、１はセパレート式空気調和機の室内ユニットで、後板２と前方の前面パネル３によって筐体を形成し、この筐体内には熱交換器４と送風ファン５等を備えている。
前記熱交換器４はフィンチューブ式の熱交換器で、後板２と対向する後部熱交換器４ａと前面パネル３と対向する前部熱交換器４ｂを逆Ｖ字型に位置させている。
【０００８】
また前部熱交換器４ｂは前面パネル３に沿って多段階に屈曲して設けられ、この前部熱交換器４ｂの下方には前部ドレンパン６が設けられ、前部熱交換器４ｂで発生した結露水を受けるものである。
また前記後部熱交換器４ａの下部には後部ドレンパン７が後板２と一体に形成されている。
【０００９】
前記後板２は送風ファン５と熱交換器４等が取付けられると共に、室内ユニット１の左側と上面および底面の側壁８ａが一体に形成される左後板２ａと、前面側が開口した電装品収納箱９を一体に形成すると共に、室内ユニット１の右側と上面および底面の側壁８ｂが一体に形成される右後板２ｂとに、左右に二分割されるものである。
【００１０】
前記熱交換器４の右端部には熱交配管１０が溶接され、前記左後板２ａの前面側に取付けられる熱交換器４から左後板２ａの背面側に熱交配管１０が簡単に導かれるものである。
【００１１】
また前記左後板２ａの側壁８ａ上面には格子状の上吸込口１１を備え、中央には前記クロスフロー式の送風ファン５のスタビライザを兼用する後部ドレンパン７を備え、この後部ドレンパン７の下方には送風ファン５のエアーガイダー１２を備えている。
【００１２】
またこのエアーガイダー１２の左側には前記送風ファン５の軸受１３の軸受取付部１４を設け、エアーガイダー１２の右側には送風モータ１５を取付けるモータ取付部１６を設けている。
前記送風モータ取付部１６と左後板２ａの右端には複数のネジ穴１７が設けられ、ネジ１８にて右後板２ｂの左後板２ａへの取付けと共に、右後板２ｂと一体に形成された電装品収納箱９の左側面から背面にかけて形成された凹部９ａにて送風モータ１５が押圧され固定されるものである。
【００１３】
前記前面パネル３の中央には横長スリット状の前吸込口１９を有するオープンパネル２０を備えこのパネル２０上部左右に設けた軸２１を支点として前面パネル３前方へ開閉自在に取付られ、前記前吸込口１９下方から前面パネル３底面には横長の吹出口２２を設け、また前記後板２と前面パネル３上面には前記前吸込口１９で不足する開口面積を補うために前記上吸込口１１を設けている。
【００１４】
前記吹出口２２には上下方向の風向をコントロールする水平羽根２４と左右方向の風向をコントロールする左右風向板２５を設け、前記水平羽根２４は横長扁平の樹脂板の左右と中央に回動軸２６を設け、ルーバーモータ２７により水平羽根２４の角度を変えることで吹出風の上下方向を好みの方向に向けるもので、一般に冷房運転時には水平方向に暖房運転時には下方に向けて運転するものであり、運転停止時には自動的に吹出口２２を蓋状に閉じる事で室内ユニット１の外観デザインをスッキリと向上させるものである。
【００１５】
前記左右風向板２５はエアーガイダー１２の下端に取り付けられ吹出風の左右方向を手動により好みの方向に向けることができるものである。
【００１６】
前記室内ユニット１の組立手順について説明すれば、まず左後板２ａの軸受取付部１４に軸受１３を取付け、送風ファン５の回転軸を軸受１３に挿入すると共に送風モータ１５を送風ファン５にネジ等で取付け、この送風モータ１５をモータ取付部１６に嵌め込む事で仮止めする。
【００１７】
次に熱交配管８を熱交換器４に予めロー付けされた熱交換器４のセットを後部熱交換器４ａを左後板２ａの後部ドレンパン７の上に組み込み、熱交配管１０を左後板２ａの背面側に位置させる。この時左後板２ａの右側に作業を妨げる枠や部品は無いので簡単に作業ができるものである。
次に前部ドレンパン６を前部熱交換器４ｂの下部にネジや嵌合等によって取り付ける。
【００１８】
その後予め電装品収納箱９内にプリント基板等の電気部品が組み込まれた右後板２ｂをネジ１８にて左後板２ａにネジ止めする事で後板２が完成すると共に、右後板２ｂと一体に形成された電装品収納箱９の背面に押圧される事で確実にモータ取付部１６に送風モータ１５が取付けられるものである。
【００１９】
次に前面パネル３にて後板２全体を覆って室内ユニット１の組立が完了する。また左後板２ａと右側板２ｂの上面と底面の側壁８ａ・８ｂは組立後には同一平面となるように固定され外観の美観を損ねないものである。
【００２０】
このように後板２を左右に分割することで組み立て作業が簡単になり、組立コストを削減できるものであり、左右の後板２ａ・２ｂはそれぞれの大きさが小さくなることで、金型作成費用が少なくなり、且つ金型作成の期間も早くできる様になる。
また電装品収納箱９を右後板２ｂと一体成型することで部品点数を少なくする事ができると共にブラスチックの原材料も少なくする事ができ、室内ユニット１全体のコンパクト化がはかれるものである。
【００２１】
【発明の効果】
以上のようにこの発明によれば、ネジにて右後板の左後板への取付けと共に、右後板と一体に形成された電装品収納箱の左側面から背面にかけて形成された凹部にて送風モータが押圧され固定されるので、組み立て作業が簡単になり、組立コストを削減できるものである。
また後板の金型作成費用を削減し、且つ金型作成の期間も短くする事ができる。
また電装品収納箱を右後板と一体成型することで部品点数を少なくする事ができると共にブラスチックの原材料も少なくする事ができるものである。
【図面の簡単な説明】
【図１】この発明の一実施例の分解斜視図。
【図２】同要部の拡大斜視図。
【図３】同要部の拡大斜視図。
【図４】同構造を簡略した側面の拡大断面図。
【図５】従来例の分解斜視図。
【符号の説明】
１  室内ユニット
２ａ  左後板
２ｂ  右後板
３  前面パネル
４  熱交換器
９  電装品収納箱
１０  熱交配管
１５  送風モータ
１６  モータ取付部
【図１】
0003854181.tif 000002
【図２】
0003854181.tif 000003
【図３】
0003854181.tif 000004
【図４】
0003854181.tif 000005
【図５】
0003854181.tif 000006